(57)【要約】【課題】構成が簡単でかつ次回の測定作業に入る際の時間短縮を図ることができ、しかもノズルを通じて圧縮室内に霧化した涙等の霧が取り込まれるのを阻止することのできる非接触式眼圧計のエアー噴射装置を提供する。【解決手段】  本発明の非接触式眼圧計のエアー噴射装置２は、シリンダ内部の圧縮室６のエアーをピストン５により圧縮してノズル１２から被検眼に向けて吹き付ける。  ピストン５には圧縮室６とシリンダ大気開放室１５とを連通する開口１６が形成されている。このピストン５にはピストン５が圧縮室６のエアーを圧縮する方向に駆動されるときの圧縮室６とシリンダ大気開放室１５との圧力差に基づいて開口１６を閉成しかつ圧縮室６のエアーを圧縮する方向とは逆方向にピストン５が駆動されるときの圧縮室６と大気開放室１５との圧力差に基づいて開口１６を開成する弁体１７が設けられている。【選択図】図１
2008237516.tif 000002
【特許請求の範囲】
【請求項１】
シリンダ内部の圧縮室のエアーをピストンにより圧縮してノズルから被検眼に向けて吹き付ける非接触式眼圧計において、
前記ピストンに前記シリンダ内部の圧縮室と大気に開放されたシリンダ大気開放室とを連通する開口が形成され、前記ピストンには該ピストンが前記圧縮室のエアーを圧縮する方向に駆動されるときの前記圧縮室と前記シリンダ大気開放室との圧力差に基づいて前記開口を閉成しかつ前記圧縮室のエアーを圧縮する方向とは逆方向に前記ピストンが駆動されるときの前記圧縮室と前記シリンダ大気開放室との圧力差に基づいて前記開口を開成する弁体が設けられていることを特徴とする非接触式眼圧計のエアー噴射装置。
【請求項２】
被検眼の角膜に向かって対向されるノズルの軸線方向後方側にチャンバー室を構成するチャンバー窓ガラスを介して被検眼の前眼部像を観察する光学系が設けられ、前記チャンバー室が連通管を介してシリンダ内部の圧縮室に連通され、前記シリンダ内部の圧縮室の空気をピストンにより圧縮してノズルから被検眼に向けて吹き付ける非接触式眼圧計において、
前記ピストンに前記シリンダ内部の圧縮室と大気に開放されたシリンダ大気開放室とを連通する開口が形成され、前記ピストンには該ピストンが前記圧縮室のエアーを圧縮する方向に駆動されるときの前記圧縮室と前記シリンダ大気開放室との圧力差に基づいて前記開口を閉成しかつ前記圧縮室のエアーを圧縮する方向とは逆方向に前記ピストンが駆動されるときの前記圧縮室と前記シリンダ大気開放室との圧力差に基づいて前記開口を開成する弁体が設けられていることを特徴とする非接触式眼圧計のエアー噴射装置。
【請求項３】
前記ピストンは円筒状であり、前記弁体は円盤状であり、前記開口は前記ピストンの周回り方向に等間隔に複数個形成されていることを特徴とする請求項１又は請求項２に記載の非接触式眼圧計のエアー噴射装置。
【請求項４】
前記弁体はその周辺部で前記ピストンに前記開口を開閉可能に固定されていることを特徴とする請求項１又は請求項２に記載の非接触式眼圧計のエアー噴射装置。
【請求項５】
前記弁体はその中心部で前記ピストンに前記開口を開閉可能に固定され、前記弁体と前記ピストンとの間には半径方向に延びる押圧片が設けられていることを特徴とする請求項１又は請求項２に記載の非接触式眼圧計のエアー噴射装置。
【発明の詳細な説明】
【技術分野】
【０００１】
本発明は、シリンダ内部の圧縮室のエアーを圧縮してノズルから被検眼の角膜に向けて吹き付ける非接触式眼圧計のエアー噴射装置の改良に関するものである。
【背景技術】
【０００２】
従来から、非接触式眼圧計のエアー噴射装置には、シリンダとノズルとの間にエアーの噴射方向にのみ連通する逆止弁を設けたものが知られている（例えば、特許文献１参照。）。
【０００３】
このものでは、被検眼にエアーを吹き付けるノズルから霧散した涙による霧がエアーと共にノズルを通じてチャンバー室に取り込まれ、チャンバー室を構成する光学部品の一部としてのチャンバー窓ガラス等に付着するのを防止できるというメリットがある。
【特許文献１】特開平７−１６２１２号公報
【発明の開示】
【発明が解決しようとする課題】
【０００４】
しかしながら、この従来のものでは、圧縮室の容積拡大時に電磁弁を開成させて圧縮室内にエアーを導入しなければならず、その構成が概して複雑でかつ次回の測定作業に入るための測定作業特性の点で問題がある。
【０００５】
本発明は、上記の事情に鑑みて為されたもので、構成が簡単でかつ次回の測定作業に入る際の時間短縮を図ることができ、しかもノズルを通じて圧縮室内に霧化した涙等の霧がエアーと共に取り込まれるのを阻止することのできる非接触式眼圧計のエアー噴射装置を提供することを目的とする。
【課題を解決するための手段】
【０００６】
本発明の請求項１に記載の非接触式眼圧計のエアー噴射装置は、上記の目的を達成するため、シリンダ内部の圧縮室のエアーをピストンにより圧縮してノズルから被検眼に向けて吹き付ける非接触式眼圧計において、前記ピストンに前記シリンダ内部の圧縮室と大気に開放されたシリンダ大気開放室とを連通する開口が形成され、前記ピストンには該ピストンが前記圧縮室のエアーを圧縮する方向に駆動されるときの前記圧縮室と前記シリンダ大気開放室との圧力差に基づいて前記開口を閉成しかつ前記圧縮室のエアーを圧縮する方向とは逆方向に前記ピストンが駆動されるときの前記圧縮室と前記シリンダ大気開放室との圧力差に基づいて前記開口を開成する弁体が設けられていることを特徴とする。
【０００７】
本発明の請求項２に記載の非接触式眼圧計のエアー噴射装置は、上記の目的を達成するため、被検眼の角膜に向かって対向されるノズルの軸線方向後方側にチャンバー室を構成するチャンバー窓ガラスを介して被検眼の前眼部像を観察する光学系が設けられ、前記チャンバー室が連通管を介してシリンダ内部の圧縮室に連通され、前記シリンダ内部の圧縮室の空気をピストンにより圧縮してノズルから被検眼に向けて吹き付ける非接触式眼圧計において、前記ピストンに前記シリンダ内部の圧縮室と大気に開放されたシリンダ大気開放室とを連通する開口が形成され、前記ピストンには該ピストンが前記圧縮室のエアーを圧縮する方向に駆動されるときの前記圧縮室と前記シリンダ大気開放室との圧力差に基づいて前記開口を閉成しかつ前記圧縮室のエアーを圧縮する方向とは逆方向に前記ピストンが駆動されるときの前記圧縮室と前記シリンダ大気開放室との圧力差に基づいて前記開口を開成する弁体が設けられていることを特徴とする。
【０００８】
本発明の請求項３に記載の非接触式眼圧計のエアー噴射装置は、上記の目的を達成するため、前記ピストンは円筒状であり、前記弁体は円盤状であり、前記開口は前記ピストンの周回り方向に等間隔に複数個形成されていることを特徴とする。
【０００９】
本発明の請求項４に記載の非接触式眼圧計のエアー噴射装置は、上記の目的を達成するため、前記弁体はその周辺部で前記ピストンに前記開口を開閉可能に固定されていることを特徴とする。
【００１０】
本発明の請求項５に記載の非接触式眼圧計のエアー噴射装置は、上記の目的を達成するため、前記弁体はその中心部で前記ピストンに前記開口を開閉可能に固定され、前記弁体と前記ピストンとの間には半径方向に延びる押圧片が設けられていることを特徴とする。
【発明の効果】
【００１１】
本発明によれば、ピストンにシリンダ内部の圧縮室とシリンダ大気開放室とを連通する開口を形成し、このピストンにはこのピストンがシリンダ内のエアーを圧縮する方向に駆動されるときの圧縮室とシリンダ大気開放室との圧力差に基づいてこの開口を閉成しかつ圧縮室のエアーを圧縮する方向とは逆方向にピストンが駆動されるときの圧縮室とシリンダ大気開放室との圧力差に基づいて開口を開成する弁体を設けたので、被検眼に向かってエアーを吹き付ける際には開口が閉成され、効率よくエアーを被検眼に向けて噴射させることができ、かつ、圧縮室にエアーを導入するときには、ピストンの可動に伴う可動方向前方側のエアーの圧力上昇と可動方向後方側に存在する圧縮室の圧力減衰とに基づく圧力差に基づいて開口を開成し、シリンダ大気開放室から圧縮室に向かっての空気の流れを生じさせ、これによって圧縮室にエアーを導入させることにしたので、圧縮室の容積増大に伴う負圧によってノズルからエアーが圧縮室に取り込まれるのが著しく減少されることになり、構成が簡単でかつ次回の測定作業に入る際の時間短縮を図ることができ、ノズルを通じて圧縮室内に霧化した涙等の霧が取り込まれるのを阻止できる。
【発明を実施するための最良の形態】
【００１２】
以下に、本発明に係わる非接触式眼圧計のエアー噴射装置の発明の実施の形態を図面を参照しつつ説明する。
【実施例】
【００１３】
図１ないし図４は本発明に係わる非接触式眼圧計のエアー噴射装置の発明の実施の形態の第１実施例を説明するための図であって、この図１、図２において、１は被検眼、２は気流吹き付け装置である。
【００１４】
気流吹き付け装置２は、チャンバー室３、シリンダ４、ロータリソレノイド５’を有する。シリンダ４内には有底円筒状のピストン５が往復動可能に設けられている。そのピストン５とシリンダ４とによって圧縮室６が構成されている。
【００１５】
そのピストン５はロッド７によってロータリソレノイド５に連結されている。このピストン５は、ロータリソレノイド５’の回転往復動によって、シリンダ４内で上下方向に可動される。
【００１６】
チャンバー室３はカバーガラス８、チャンバー窓ガラス９、隔壁１０によって概略構成されている。カバーガラス８には被検眼１の角膜１１に対向されるノズル１２が設けられている。
【００１７】
そのノズル１２の軸線方向後方側にはチャンバー室３を構成するチャンバー窓ガラス９を介して被検眼１の前眼部像を観察する光学系１３が設けられている。
【００１８】
チャンバー室３と圧縮室６とは連通管１４を介して連通されている。ピストン５にはその頂部に圧縮室６と大気に連通されたシリンダ大気開放室１５とを連通する開口１６が形成されている。この開口１６は図３に示すようにピストン５の周回り方向に等間隔に複数個形成されている。この開口１６の個数とその開口面積の総計はノズル１２の開口面積よりも大きいことが望ましい。
【００１９】
このピストン５にはこのピストン５が圧縮室６のエアーを圧縮する方向に駆動されるときの圧縮室６とシリンダ大気開放室１５との圧力差に基づいて開口１６を閉成しかつ圧縮室６のエアーを圧縮する方向とは逆方向にピストン５が駆動されるときの圧縮室６とシリンダ大気開放室１５との圧力差に基づいて開口１６を開成する弁体１７が設けられている。
【００２０】
この弁体１７は、図３に示すように、例えば円盤状の合成樹脂板であり、ここでは、弁体１７はその周辺部でピストン５にネジ１８によって開閉可能に固定されている。ピストン５も合成樹脂により構成することもでき、その場合、弁体１７の樹脂の材料とピストン５の樹脂の材料とを異なる構成とすることができる。
【００２１】
次に、本発明に係わるエアー吹き付け装置の作用を説明する。
【００２２】
図１はピストン５が下死点位置にあって、ロータリソレノイド５’により、駆動される直前の状態を示しており、弁体１７は開口１６を閉成している。ピストン５が矢印Ｆ１方向に駆動されると、圧縮室６の容積が減少され、圧縮室６の圧力が上昇に伴って、チャンバー室３内の空気がノズル１２から被検眼１の角膜１１に向かって矢印Ｆ２で示すように噴射される。眼圧の測定はこのノズル１２からのエアーの噴射によって行われ、その測定原理は公知であるので、その説明を省略する。
【００２３】
図２はそのピストン５が上死点位置にある状態を示しており、ピストン５はロータリソレノイド５の駆動停止により、例えば、自重により落下する方向、すなわち、矢印Ｆ３方向に可動される。
【００２４】
ピストン５が下死点方向に向かって可動すると、ピストン５の可動に伴って可動方向前方側のエアーの圧力が上昇する。すなわち、シリンダ大気開放室１５の空気の圧力が上昇する。その一方、ピストン５の可動方向後方側に存在する圧縮室６の容積の増大に伴って圧縮室６の内部の気圧が負圧になろうとする。
【００２５】
弁体１７はこのシリンダ大気開放室１５の圧力上昇と圧縮室６の圧力減衰とに基づく圧力差に基づいて変形されて開口１６を開成し、これによって、シリンダ大気開放室１５から圧縮室６に向かっての矢印Ｆ４方向のエアーの流れが図４に示すように生じる。従って、圧縮室６の容積増大に伴う負圧によってノズル１２からエアーが圧縮室６に取り込まれるのが著しく減少されることになり、ノズル１２を通じて圧縮室６内に霧化した涙等の霧が取り込まれるのが阻止される。
【００２６】
図５ないし図７は本発明に係わる非接触式眼圧計のエアー噴射装置の発明の実施の形態の第２実施例を説明するための図であって、
ここでは、弁体１７はその中心部でピストン５に開口１６を開閉可能にネジ１９によって固定され、弁体１７とピストン５との間には半径方向に延びる押圧片２０が介在されている。この押圧片２０によって弁体１７の半径方向部分が部分的に固定されている。
【００２７】
この第２実施例に係わる非接触式眼圧計のエアー噴射装置の作用は、第１実施例に係わる非接触式眼圧計のエアー噴射装置の作用と大略同一であるので、その詳細な説明は省略する。
【図面の簡単な説明】
【００２８】
【図１】本発明に係わる非接触式眼圧計のエアー噴射装置の発明の実施の形態の第１実施例を説明するための図であって、ピストンが下死点位置にある状態を示す断面図である。
【図２】本発明に係わる非接触式眼圧計のエアー噴射装置の発明の実施の形態の第１実施例を説明するための図であって、ピストンが上死点位置にある状態を示す断面図である。
【図３】図２のＡ−Ａ線に沿う断面図である。
【図４】本発明に係わる非接触式眼圧計のエアー噴射装置の発明の実施の形態の第１実施例を説明するための図であって、ピストンが上死点位置から下死点位置に向かう途中にある状態を示す断面図である。
【図５】本発明に係わる非接触式眼圧計のエアー噴射装置の発明の実施の形態の第２実施例を説明するための図であって、ピストンが下死点位置にある状態を示す断面図である。
【図６】本発明に係わる非接触式眼圧計のエアー噴射装置の発明の実施の形態の第２実施例を説明するための図であって、ピストンが上死点位置にある状態を示す断面図である。
【図７】図６のＢ−Ｂ線に沿う断面図である。
【符号の説明】
【００２９】
５…ピストン
６…圧縮室
１２…ノズル
１５…シリンダ大気開放室
１６…開口
１７…弁体
【図１】
2008237516.tif 000003
【図２】
2008237516.tif 000004
【図３】
2008237516.tif 000005
【図４】
2008237516.tif 000006
【図５】
2008237516.tif 000007
【図６】
2008237516.tif 000008
【図７】
2008237516.tif 000009